(57)【要約】【課題】  エアバッグ本体の膨出時に発生する力には耐え、且つ、インストルメントパネルに対して衝撃入力があった場合にはこの衝撃入力を吸収し得るようにする。【解決手段】  ほぼ車幅方向へ延びる車体側メンバ１に対し、取付ブラケット２を介してエアバッグモジュール３を固定したエアバッグ装置取付部構造において、アバッグモジュールの側部と車体側メンバ１との間に引張方向へは強く、圧縮方向へは弱い締結ブラケット１１を設けるようにしている。【選択図】        図１
2006315549.tif 000002
【特許請求の範囲】
【請求項１】
ほぼ車幅方向へ延びる車体側メンバに対し、取付ブラケットを介してエアバッグモジュールを固定したエアバッグ装置取付部構造において、
エアバッグモジュールの側部と車体側メンバとの間に引張方向へは強く、圧縮方向へは弱い締結ブラケットを設けたことを特徴とするエアバッグ装置取付部構造。
【請求項２】
前記締結ブラケットが、エアバッグモジュールの側部に固定されるモジュール側ブラケット片と、車体側メンバに固定されるメンバ側ブラケット片と、前記両ブラケット片を回動可能に連結する回動軸部と、該回動軸部による両ブラケット片の回動を規制するストッパ部とを備えたことを特徴とする請求項１記載のエアバッグ装置取付部構造。
【請求項３】
モジュール側ブラケット片とメンバ側ブラケット片とのうちの一方に屈曲予定部を設け、該屈曲予定部が、引張側の回動には屈曲されず、圧縮側の回動には屈曲されるよう構成したことを特徴とする請求項２記載のエアバッグ装置取付部構造。
【発明の詳細な説明】
【技術分野】
【０００１】
この発明は、エアバッグ装置取付部構造に関するものである。
【背景技術】
【０００２】
自動車などの車両には、緊急時の安全手段としてエアバッグ装置が設けられている。このようなエアバッグ装置の一つとして助手席用のエアバッグ装置が知られている。この助手席用のエアバッグ装置は、インストルメントパネルの助手席側の部分に設けられる。即ち、インストルメントパネルの内部には、ほぼ車幅方向へ延びる車体側メンバが配設されているが、この車体側メンバに対し、取付ブラケットを介して、エアバッグ本体を収容するエアバッグモジュールが固定される。また、インストルメントパネル裏面のエアバッグモジュールと対向する部分には、エアバッグドア部が設けられる（例えば、特許文献１参照）。
【０００３】
そして、エアバッグモジュールから膨出されたエアバッグ本体は、インストルメントパネルの裏面を押圧し、インストルメントパネルの裏面に設けられたエアバッグドア部を開裂して車室内へ展開する。
【特許文献１】特開２０００−３２６８１４号公報
【発明の開示】
【発明が解決しようとする課題】
【０００４】
上記助手席用エアバッグでは、エアバッグモジュールは、エアバッグ本体の膨出時に発生する力には耐え、且つ、インストルメントパネルに対して外部からの衝撃入力があった時にはこの衝撃入力を吸収し得るように、取付ブラケットを用いて車体側メンバに固定される必要がある。しかし、このような２つの要求を同時に満たす取付ブラケットを作成することが困難であり、何らかの対策が求められる場合がある。
【課題を解決するための手段】
【０００５】
上記課題を解決するために、請求項１に記載された発明では、ほぼ車幅方向へ延びる車体側メンバに対し、取付ブラケットを介してエアバッグモジュールを固定したエアバッグ装置取付部構造において、エアバッグモジュールの側部と車体側メンバとの間に引張方向へは強く、圧縮方向へは弱い締結ブラケットを設けたエアバッグ装置取付部構造を特徴としている。
【０００６】
請求項２に記載された発明では、前記締結ブラケットが、エアバッグモジュールの側部に固定されるモジュール側ブラケット片と、車体側メンバに固定されるメンバ側ブラケット片と、前記両ブラケット片を回動可能に連結する回動軸部と、該回動軸部による両ブラケット片の回動を規制するストッパ部とを備えた請求項１記載のエアバッグ装置取付部構造を特徴としている。
【０００７】
請求項３に記載された発明では、モジュール側ブラケット片とメンバ側ブラケット片とのうちの一方に屈曲予定部を設け、該屈曲予定部が、引張側の回動には屈曲されず、圧縮側の回動には屈曲されるよう構成した請求項２記載のエアバッグ装置取付部構造を特徴としている。
【発明の効果】
【０００８】
請求項１の発明によれば、エアバッグモジュールの側部と車体側メンバとの間に引張方向へは強く、圧縮方向へは弱い締結ブラケットを設けることにより、エアバッグ本体の膨出時に発生する引張方向の力には耐え、且つ、インストルメントパネルに対する外部からの圧縮方向の衝撃入力を吸収することができる。
【０００９】
請求項２の発明によれば、前記締結ブラケットが、エアバッグモジュールの側部に固定されるモジュール側ブラケット片と、車体側メンバに固定されるメンバ側ブラケット片と、前記両ブラケット片を回動可能に連結する回動軸部と、該回動軸部による両ブラケット片の回動を規制するストッパ部とを備えることにより、入力があった場合に、モジュール側ブラケット片とメンバ側ブラケット片とが回動軸部を中心として回動すると共に、ストッパ部が両ブラケット片の回動を適宜規制することとなる。この際、ストッパ部のセッティングにより、締結ブラケットを引張方向へは強く、圧縮方向へは弱いものとすることが可能である。
【００１０】
請求項３の発明によれば、モジュール側ブラケット片とメンバ側ブラケット片とのうちの一方に屈曲予定部を設け、該屈曲予定部が、引張側の回動には屈曲されず、圧縮側の回動に屈曲されるよう構成したことにより、エアバッグ本体の膨出時に発生する引張方向の力には耐え、且つ、インストルメントパネルに対する外部からの圧縮方向の衝撃入力には屈曲予定部で屈曲してこれを吸収することができる。
【発明を実施するための最良の形態】
【００１１】
本発明は、エアバッグモジュールの側部と車体側メンバとの間に引張方向へは強く、圧縮方向へは弱い締結ブラケットを設ける、という手段で実現した。
【実施例】
【００１２】
以下、本発明を具体化した実施例について、図示例と共に説明する。
【００１３】
図１〜図５は、この発明の実施例を示すものである。
【００１４】
まず、構成を説明すると、自動車などの車両に対し、緊急時の安全手段としてエアバッグ装置が設けられる。このようなエアバッグ装置の一つとしての助手席用のエアバッグ装置は、インストルメントパネルの助手席側の部分に設けられる。即ち、図示しないインストルメントパネルの内部には、ほぼ車幅方向へ延びる車体側メンバ１が配設されており、この車体側メンバ１に対し、取付ブラケット２を介して、エアバッグ本体を収容するエアバッグモジュール３が固定される。そして、インストルメントパネルのエアバッグモジュール３と対向する部分には、エアバッグドア部が設けられる。ここで、取付ブラケット２は、一対設けられており、エアバッグモジュール３の両側底面をそれぞれ片持状態で支持するように構成されている。取付ブラケット２の基端は、車体側メンバ１に溶接固定されたブラケットにボルトを用いて固定されている。
【００１５】
この実施例のものでは、エアバッグモジュール３の側部と車体側メンバ１との間に引張方向へは強く、圧縮方向へは弱い締結ブラケット１１を設ける。
【００１６】
より具体的には、締結ブラケット１１が、エアバッグモジュール３の側部に固定されるモジュール側ブラケット片１２と、車体側メンバ１に固定されるメンバ側ブラケット片１３と、両ブラケット片を回動可能に連結する回動軸部１４と、回動軸部１４による両ブラケット片の回動を規制するストッパ部１５とを備えている。
【００１７】
ここで、締結ブラケット１１は、エアバッグモジュール３の両側に設けられているが、場合によっては、片側のみとしても良い。モジュール側ブラケット片１２は、例えば、インストルメントパネルの裏面側に取付けられて、エアバッグモジュール３から膨出したエアバッグ本体をガイドするようにした、図示しないガイド用ブラケットへ固定するための取付ブラケット１６と一体に形成することができ、これにより、部品点数と取付工数とを削減することが可能となる。
【００１８】
また、モジュール側ブラケット片１２は、エアバッグモジュール３の側面からほぼ下方へ垂下した後に、ほぼ車幅方向外方へ延びる屈曲形状を呈している。一方、メンバ側ブラケット片１３は、車体側メンバ１におけるエアバッグモジュール３よりも外側の位置からほぼ上方へ立上がった後に、ほぼ車幅方向内方へ延びる屈曲形状を呈している。そして、モジュール側ブラケット片１２下端側の外方屈曲部１２ａと、メンバ側ブラケット片１３上端の内方屈曲部１３ａとは、ほぼ車幅方向へ延びる直線と、締結ブラケット１１が設定する引張方向および圧縮方向を通る直線とを含む平面に向けられており、互いに面接触されると共に、ほぼ車両前後方向へ延びて上記平面にほぼ垂直な回動軸部１４によって回動自在に連結されている。また、ストッパ部１５は、モジュール側ブラケット片１２の外方屈曲部１２ａにおける上縁部を屈曲して、メンバ側ブラケット片１３上端の内方屈曲部１３ａにおける上縁部に係止し得るように構成する。
【００１９】
更に、モジュール側ブラケット片１２とメンバ側ブラケット片１３とのうちの一方に屈曲予定部１８を設け、この屈曲予定部１８が、引張側の回動には屈曲されず、圧縮側の回動には屈曲されるよう構成する。より具体的には、屈曲予定部１８を、メンバ側ブラケット片１３の基部近傍部分に、他の部分よりも板幅が狭くなるようなクビレ部などとする。そして、引張側の回動が生じた時にストッパ部１５がメンバ側ブラケット片１３上端の内方屈曲部１３ａに係止される点１３ｂから屈曲予定部１８までのモーメントアームＭ１よりも、圧縮側の回動の回動が生じた時にストッパ部１５がメンバ側ブラケット片１３上端の内方屈曲部１３ａに係止される点１３ｃから屈曲予定部１８までのモーメントアームＭの方が所要量だけ長くなるようにする。
【００２０】
なお、締結ブラケット１１における引張方向および圧縮方向は、エアバッグ本体の膨出時に発生する力、および、インストルメントパネルに対する外部からの衝撃入力の方向と、それぞれほぼ一致させるようにする。
【００２１】
次に、この実施例の作用について説明する。
【００２２】
エアバッグモジュール３から膨出されたエアバッグ本体は、インストルメントパネルの裏面を押圧し、インストルメントパネルの裏面に設けられたエアバッグドア部を開裂して車室内へ展開する。この際、エアバッグモジュール３はエアバッグ本体によって引張られるので、エアバッグモジュール３を介して締結ブラケット１１には、引張方向の力が作用する。
【００２３】
反対に、インストルメントパネルに対する外部からの衝撃入力があった場合には、エアバッグモジュール３を介して締結ブラケット１１には、圧縮方向の力が作用する。
【００２４】
この実施例によれば、エアバッグモジュール３の側部と車体側メンバ１との間に引張方向へは強く、圧縮方向へは弱い締結ブラケット１１を設けることにより、エアバッグ本体の膨出時に発生する引張方向の力には耐え、且つ、インストルメントパネルに対する外部からの圧縮方向の衝撃入力を吸収することができる。
【００２５】
より具体的には、締結ブラケット１１が、エアバッグモジュール３の側部に固定されるモジュール側ブラケット片１２と、車体側メンバ１に固定されるメンバ側ブラケット片１３と、両ブラケット片を回動可能に連結する回動軸部１４と、回動軸部１４による両ブラケット片の回動を規制するストッパ部１５とを備えることにより、入力があった場合に、モジュール側ブラケット片１２とメンバ側ブラケット片１３とが回動軸部１４を中心として回動すると共に、ストッパ部１５が両ブラケット片の回動を適宜規制することとなる。この際、ストッパ部１５のセッティングにより、締結ブラケット１１を引張方向へは強く、圧縮方向へは弱いものとすることが可能である。
【００２６】
そして、モジュール側ブラケット片１２とメンバ側ブラケット片１３とのうちの一方に屈曲予定部１８を設け、屈曲予定部１８が、引張側の回動には屈曲されず、圧縮側の回動には屈曲されるよう構成したことにより、エアバッグ本体の膨出時に発生する引張方向の力には耐え、且つ、インストルメントパネルに対する外部からの圧縮方向の衝撃入力には屈曲予定部１８で屈曲してこれを吸収することができる。
【００２７】
即ち、エアバッグ本体の膨出により締結ブラケット１１に引張方向の力が作用した場合には、図４に示すように、モジュール側ブラケット片１２下端側の外方屈曲部１２ａと、メンバ側ブラケット片１３上端の内方屈曲部１３ａとの間に矢印で示すような引張側の回動が生じ、ストッパ部１５がメンバ側ブラケット片１３上端の内方屈曲部１３ａにおける点１３ｂに係止される。すると、この点１３ｂから屈曲予定部１８までのモーメントアームＭ１は比較的短く、屈曲予定部１８にはエアバッグ本体による引張力のみが作用し、曲げ方向が外側となるため、屈曲予定部１８は屈曲することなくこれに耐える。
【００２８】
反対に、外部からの衝撃入力により締結ブラケット１１に圧縮方向の力が作用した場合には、図５に示すように、モジュール側ブラケット片１２下端側の外方屈曲部１２ａと、メンバ側ブラケット片１３上端の内方屈曲部１３ａとの間に矢印で示すような圧縮側の回動の回動が生じ、ストッパ部１５がメンバ側ブラケット片１３上端の内方屈曲部１３ａにおける点１３ｃに係止される。すると、この点１３ｃから屈曲予定部１８までのモーメントアームＭは比較的長く、屈曲予定部１８には外部からの衝撃入力とエアバッグモジュール３の荷重との合力が作用、曲げ方向が内側となるため、屈曲予定部１８は内側へ屈曲してこれを吸収するように作用する。
【００２９】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００３０】
【図１】本発明の実施例の全体斜視図である。
【図２】図１の側面図である。
【図３】図１の部分拡大図である。
【図４】図３で引張方向の力が作用した場合の作動図である。
【図５】図３で圧縮方向の力が作用した場合の作動図である。
【符号の説明】
【００３１】
１    車体側メンバ
２    取付ブラケット
３    エアバッグモジュール
１１  締結ブラケット
１２  モジュール側ブラケット片
１３  メンバ側ブラケット片
１４  回動軸部
１５  ストッパ部
１８  屈曲予定部
【図１】
2006315549.tif 000003
【図２】
2006315549.tif 000004
【図３】
2006315549.tif 000005
【図４】
2006315549.tif 000006
【図５】
2006315549.tif 000007